(57)【要約】【課題】  セキュアジョブを印刷中にエラーが発生した際、エラー解除のためにユーザが印刷装置から離れなければならない場合がありえる。この時別ユーザが印刷装置のエラーを解除して印刷物を入手してしまう危険性がある。そこで、より安全なセキュアプリントシステムを実現するためセキュアジョブを印刷中にエラーが発生する事を防止する必要がある、という課題があった。【解決手段】  セキュアジョブを通常の印刷ジョブとは別の記憶領域に格納する。この時セキュアジョブを解析し、解析情報を取得する。そして印刷装置の状態を監視し、状態が変化するたびに解析情報と照らし合わせ、もしセキュアジョブの印刷を行った場合にエラーが発生するか否かを判定する。エラーが発生すると判定された場合は、表示装置にその旨を通知する。これを見たユーザは印刷開始前にエラーが発生しないよう対処するはずであり、これによりより安全なセキュアプリントが実現できる。【選択図】  図４
2009146292.tif 000002
【特許請求の範囲】
【請求項１】
情報処理装置が生成した印刷ジョブを受信して印刷を行う印刷装置と、
印刷ジョブの種別を見分けるジョブ種別判断手段と、
前記ジョブ種別判断手段で通常のジョブと判断されれば通常の印刷を行うがセキュアジョブだと判断された場合はジョブを解析してジョブに関する情報を得るジョブ解析手段と、
セキュアジョブを通常の印刷ジョブとは別の記憶領域に格納するセキュアジョブ記憶手段と、
印刷装置の状態を監視する印刷装置状態監視手段と、
印刷装置の状態と前記解析情報を照らし合わせて、もし前記セキュアジョブを印刷した場合にエラーが発生するか否か、を判定するエラー発生判定手段と、
前記エラー発生判定手段でエラーが発生すると判定された場合にエラーを通知するエラー通知手段とを有することを特徴とする印刷システム。
【請求項２】
セキュアジョブが複数ある場合、
前記セキュアジョブ記憶手段は複数個のセキュアジョブを記憶可能であって、
前記エラー発生判定手段が前記セキュアジョブ記憶手段に記憶された全てのセキュアジョブに対して適用され、
前記エラー通知手段はエラーが発生すると判定された全てのセキュアジョブについてエラーを通知可能な請求項１記載の印刷システム。
【請求項３】
印刷装置の状態と前記解析情報を照らし合わせて、もし前記セキュアジョブを印刷した場合にエラーが発生する可能性があるか否か、を判定するエラー発生可能性判定手段と、
前記エラー発生可能性判定手段でエラーが発生する可能性があると判定された場合にエラー発生の可能性を通知するエラー可能性通知手段とを有することを特徴とする請求項１記載の印刷システム。
【請求項４】
前記ジョブ種別判断手段、前記ジョブ解析手段、前記セキュアジョブ記憶手段、前記印刷装置状態監視手段、前記エラー発生判定手段、前記エラー通知手段、のうち１つ以上の手段が情報処理装置側にある請求項１乃至２いずれか記載の印刷システム。
【請求項５】
前記ジョブ種別判断手段、前記ジョブ解析手段、前記セキュアジョブ記憶手段、前記印刷装置状態監視手段、前記エラー発生判定手段、前記エラー通知手段、の全ての手段が印刷装置側にある請求項１乃至２いずれか記載の印刷システム。
【請求項６】
前記印刷装置状態監視手段で取得する印刷装置状態が、例えば給紙部の用紙サイズ及び残量や、トナーやドラムの残量や、現在印刷装置で発生しているエラーや警告である請求項１乃至５いずれか記載の印刷システム。
【請求項７】
前記ジョブ解析手段で取得する解析情報が、例えばジョブが必要とする用紙サイズ及び枚数や印刷部数、給紙口指定、排紙口指定、仕上げ処理、印刷で使用する色情報である請求項１乃至５いずれか記載の印刷システム。
【発明の詳細な説明】
【技術分野】
【０００１】
本発明は、ホストコンピュータ等の情報処理装置で生成した印刷データを、ネットワーク等により情報処理装置と接続された印刷装置に出力する印刷システムに関するものである。
【背景技術】
【０００２】
機密性の高い文書等を印刷する際に、情報処理装置は生成した印刷データとパスワードを印刷装置に送信する。
【０００３】
そして印刷装置は、印刷装置の入力部からパスワードが入力された時に印刷を開始する。これにより印刷物の機密性を保持する印刷システムが提案されている（例えば、特許文献１参照）。
【０００４】
しかしながら、印刷中にエラーによる印刷停止が発生した場合、エラー解除のためにユーザが印刷装置の前を離れなければならない場合がある。
【０００５】
この時、他ユーザがエラーを解除して印刷物を入手することが可能であるため、機密性を保証できない、という問題があった。
【０００６】
エラーによる印刷停止を可能な限り防止する手段としては、以下の手法が提案されている（例えば、特許文献２参照）。
【０００７】
すなわち、ネットワーク上に配置された複数の印刷装置より、各印刷装置のエラー発生の可能性を示す情報を取得する。そしてエラーによる印刷停止が発生しにくい印刷装置に対して優先的にジョブを投入する。
【特許文献１】特開平09-065148号公報
【特許文献２】特開2006-163913号公報
【発明の開示】
【発明が解決しようとする課題】
【０００８】
しかしながら、従来手法には以下の課題がある。
【０００９】
従来手法ではエラーによる印刷停止発生の可能性を印刷装置の情報を見て判断している。しかし実際には、印刷装置の状態は同じでも、印刷ジョブの状態によってエラーが発生する／しないが分かれる事がある。
【００１０】
このため、印刷装置の情報を見て判断するだけでは精度の高いエラー発生の予測を行う事はできない。
【００１１】
また、印刷停止が発生しにくい印刷装置に優先的にジョブを投入するという手法は、エラー発生の可能性を抑えるものであり、エラー発生を防止することはできない。
【００１２】
よって、より安全なセキュアプリントシステムを実現するため、セキュアジョブを印刷中にエラーが発生する事をより確実に防止する必要がある、という課題があった。
【課題を解決するための手段】
【００１３】
上記課題を解決するために、本発明の印刷システムは、
情報処理装置が生成した印刷ジョブを受信して印刷を行う印刷装置と、
印刷ジョブの種別を見分けるジョブ種別判断手段と、
前記ジョブ種別判断手段で通常のジョブと判断されれば通常の印刷を行うがセキュアジョブだと判断された場合はジョブを解析してジョブに関する情報を得るジョブ解析手段と、
セキュアジョブを通常の印刷ジョブとは別の記憶領域に格納するセキュアジョブ記憶手段と、
印刷装置の状態を監視する印刷装置状態監視手段と、
印刷装置の状態と前記解析情報を照らし合わせて、もし前記セキュアジョブを印刷した場合にエラーが発生するか否か、を判定するエラー発生判定手段と、
前記エラー発生判定手段でエラーが発生すると判定された場合にエラーを通知するエラー通知手段と、を有する事を特徴とする。
【００１４】
また、セキュアジョブが複数ある場合、
前記セキュアジョブ記憶手段は複数個のセキュアジョブを記憶可能であって、
前記エラー発生判定手段が前記セキュアジョブ記憶手段に記憶された全てのセキュアジョブに対して適用され、
前記エラー通知手段はエラーが発生すると判定された全てのセキュアジョブについてエラーを通知可能である事を特徴とする。
【００１５】
また、印刷装置の状態と前記解析情報を照らし合わせて、もし前記セキュアジョブを印刷した場合にエラーが発生する可能性があるか否か、を判定するエラー発生可能性判定手段と、
前記エラー発生可能性判定手段でエラーが発生する可能性があると判定された場合にエラー発生の可能性を通知するエラー可能性通知手段と、を有する事を特徴とする。
【００１６】
また、前記ジョブ種別判断手段、前記ジョブ解析手段、前記セキュアジョブ記憶手段、前記印刷装置状態監視手段、前記エラー発生判定手段、前記エラー通知手段、のうち１つ以上の手段が情報処理装置側にある事を特徴とする。
【００１７】
また、前記ジョブ種別判断手段、前記ジョブ解析手段、前記セキュアジョブ記憶手段、前記印刷装置状態監視手段、前記エラー発生判定手段、前記エラー通知手段、の全ての手段が印刷装置側にある事を特徴とする。
【００１８】
また、前記印刷装置状態監視手段で取得する印刷装置状態が、例えば給紙部の用紙サイズ及び残量や、トナーやドラムの残量や、現在印刷装置で発生しているエラーや警告、等である事を特徴とする。
【００１９】
また、前記ジョブ解析手段で取得する解析情報が、例えばジョブが必要とする用紙サイズ及び枚数や印刷部数、給紙口指定、排紙口指定、仕上げ処理、印刷で使用する色情報、等である事を特徴とする。
【発明の効果】
【００２０】
もしセキュアジョブを印刷した場合にエラーが発生するか否か、およびエラーが発生する可能性があるか否かを、印刷を開始する前に事前にユーザに通知することができる。
【００２１】
通知された情報を見たユーザは、印刷前にエラーが発生しないよう対処する事が可能になる。
【００２２】
これにより、より安全なセキュアプリントシステムを実現できる。
【発明を実施するための最良の形態】
【００２３】
次に、以下の添付図面を参照して、本発明を好適な実施形態に従って詳細に説明する。
【実施例１】
【００２４】
図１は、本発明における印刷装置と、印刷装置に印刷ジョブを送信する情報処理装置とで構成される印刷システムの外観を示す図である。同図において101は情報処理装置で、102は情報処理装置と接続された印刷装置である。
【００２５】
図２は、本実施形態における印刷システムの構成の一例を示すブロック図である。同図において、201は本実施形態における情報処理装置であり、202〜204を持つ。また210は本実施形態における印刷装置であり、211〜216を持つ。
【００２６】
202はアプリケーションであり、ここから印刷が指示される。
【００２７】
203はドライバであり、アプリケーションの指示に従い印刷ジョブを生成し、プリントスプーラに送信する。
【００２８】
204はプリントスプーラであり、送られてきた印刷ジョブを管理し、順次印刷装置へと送信する。
【００２９】
211はコントローラであり、印刷ジョブの受信や解析や各種処理、メモリに記憶されたジョブの順次印刷、エンジン制御、印刷装置の状態管理、メモリやハードディスクへの読み書きを行う。
【００３０】
212はメモリである。これは記憶装置であり、印刷ジョブはここに格納され、コントローラによって順次印刷されていく。
【００３１】
213はハードディスクである。これは記憶装置であり、セキュアジョブはここに格納される。
【００３２】
214はエンジンであり、コントローラより送られてきた印刷ジョブに従い印刷を行う。また印刷装置の状態をコントローラに通知する。
【００３３】
215はパネルであり、ユーザによる入力を受け付け、入力情報をコントローラに伝える。
【００３４】
216はディスプレイであり、コントローラから通知された内容を表示する。
【００３５】
図３は、本実施形態におけるジョブが記憶装置に格納されるまでの処理の流れを示すフローチャートである。
【００３６】
なお、本処理は図４で示す処理、及びメモリに格納された印刷ジョブを印刷する処理と並列的に動作している。
【００３７】
ステップ301より本処理は開始される。アプリケーションより印刷指示が発行されドライバに通知される。
【００３８】
ステップ302では、ドライバがアプリケーションからの印刷指示を元に印刷ジョブを生成する。
【００３９】
ステップ303では、情報処理装置が印刷ジョブを印刷装置に向けて送信する。このとき、印刷ジョブと共にジョブの種別（通常のジョブか、セキュアジョブか）を示す情報を合わせて送信する。
【００４０】
ステップ304では、コントローラが印刷ジョブを受信する。
【００４１】
ステップ305では、コントローラが印刷ジョブと共に送られてきたジョブ種別を参照して、印刷ジョブがセキュアジョブであるか否かを判断する。これは請求項１のジョブ種別判断手段に該当する。
【００４２】
通常の印刷ジョブであるならステップ306へ、セキュアジョブならステップ307へ移行する。
【００４３】
ステップ306では、コントローラは印刷ジョブをメモリに記憶させ、本処理を終了する。
【００４４】
ステップ307では、コントローラはセキュアジョブを解析し解析情報を取得する。これは請求項１のジョブ解析手段に該当する。
【００４５】
ステップ308では、コントローラはセキュアジョブと前記解析情報を一緒にハードディスクに記憶させる。これは請求項１のセキュアジョブ記憶手段に該当する。そして本処理を終了する。
【００４６】
図４は、本実施形態におけるセキュアジョブのエラー発生通知に関する処理の流れを示すフローチャートである。
【００４７】
なお、本処理は図３で示した処理、及びメモリに格納された印刷ジョブを印刷する処理と並列的に動作している。
【００４８】
ステップ401より本処理は開始される。ハードディスク内にセキュアジョブがあればステップ402へ、なければステップ410へ移行する。
【００４９】
ステップ402では、コントローラがエンジンより印刷装置の状態を取得し、状態情報を更新する。これは請求項１の印刷装置状態監視手段に該当する。
【００５０】
ステップ403では、更新前の状態と更新後の状態に変化があったか否かを判定する。変化があればステップ404へ、なければステップ405へ移行する。
【００５１】
ステップ404では、ハードディスク内に格納された全てのセキュアジョブに対して、解析情報と印刷装置状態との比較を行い、エラーが発生するか否かを判定する。
【００５２】
具体的には、例えばセキュアジョブの解析情報として、1ページ目がA4、2〜4ページ目がA3であり、かつ印刷装置がA3用紙を切らしている場合、「2ページ目で用紙なしエラーが発生する」と判定する。
【００５３】
他にも、例えばセキュアジョブが全ページカラー印刷であり、かつ印刷装置がシアントナーなし状態であれば、「1ページ目でシアントナー切れエラーが発生する」と判定する。
【００５４】
これは請求項１のエラー発生判定手段に該当する。
【００５５】
また、エラーが発生する可能性があるか否かについての判定も行う。
【００５６】
具体的には、例えばセキュアジョブがA4サイズの100ページ印刷であったとして、印刷装置のA4用紙残量が33%を下回っている場合は、「A4用紙切れエラーが発生する可能性がある」と判定する。
【００５７】
なお、前記の例におけるジョブが必要とする消耗品の量や、印刷装置の消耗品残量については、ユーザが値を任意に設定する事が可能であるとする。
【００５８】
これは請求項３のエラー発生可能性判定手段に該当する。
【００５９】
全セキュアジョブに対する判定が終了したら、ステップ407へ移行する。
【００６０】
ステップ405では、ハードディスク内に新規にセキュアジョブが追加されたか否かを判定する。追加されたならステップ406へ、されていないならステップ407へ移行する。
【００６１】
ステップ406では、新規に追加されたセキュアジョブに対してステップ404と同様の処理を行う。
【００６２】
ステップ407では、ステップ404またはステップ406の判定結果に従い、コントローラがディスプレイの表示を更新する。これは請求項１のエラー通知手段、及び請求項３のエラー可能性通知手段に該当する。
【００６３】
ステップ408では、ユーザがパネルより印刷したいセキュアジョブを指定し正しいパスワードを入力したか否かを判定する。
【００６４】
指定されたセキュアジョブが持つパスワード情報と、入力されたパスワードが一致するならステップ409へ、不一致ならステップ410へ移行する。
【００６５】
ステップ409では、正しいパスワードが入力されたセキュアジョブの印刷を開始するため、ハードディスクからセキュアジョブを読み出し、メモリにセキュアジョブを格納する。
【００６６】
コントローラはメモリ内にあるジョブを順次印刷するため、セキュアジョブをメモリに格納する事で印刷が開始されることになる。
【００６７】
ステップ410では、一定時間待機して、ステップ411へ移行する。
【００６８】
ステップ411では、本監視処理を終了すべきか否かを判定する。本処理は基本的に印刷装置が稼働している間は常に行われるものであるが、例えば印刷装置の電源がOFFになったときなどには終了すべきである。
【００６９】
終了すべきと判断されれば、本処理は終了する。そうでなければステップ401へ戻る。
【００７０】
図５は、図４のフローチャートで行っている印刷装置の状態監視、及びエラー通知について説明する概念図である。
【００７１】
図上部にはディスプレイに表示されるユーザへの通知が示されており、図下部には印刷装置の状態およびジョブの解析情報が示されており、全体として印刷装置の状態変化に伴いユーザへの通知が変化することを示している。
【００７２】
以上により、セキュアジョブを印刷した際にエラーが発生するか否か、さらにエラーが発生する可能性があるか否かを、印刷を行う前に事前にユーザが知る事が可能な印刷システムを実現する事ができる。
【実施例２】
【００７３】
図６は、本実施形態における印刷システムの構成の一例を示すブロック図である。同図において、601は本実施形態における情報処理装置であり、602〜608を持つ。また610は本実施形態における印刷装置であり、611〜614を持つ。
【００７４】
602はアプリケーションであり、ここから印刷が指示される。
【００７５】
603はドライバであり、アプリケーションの指示に従い印刷ジョブを生成し、プリントスプーラに送信する。
【００７６】
604はプリントスプーラであり、送られてきた印刷ジョブを管理し、順次ランゲージモニタへと送信する。
【００７７】
605はランゲージモニタであり、印刷ジョブを情報処理装置が持つメモリ（不図示の記憶装置）を用いて管理し、印刷ジョブをポートモニタに転送する。
【００７８】
また、ポートモニタがコントローラより取得した情報を取得し、それを元にステータスウィンドウに表示内容を通知する。さらに、ハードディスクへの読み書きを行うことができる。
【００７９】
606はポートモニタであり、デバイスIDの管理やポートを使用している印刷装置の管理を行い、指定された印刷装置に、ランゲージモニタから送られてきた印刷ジョブを転送する。
【００８０】
また、コントローラから印刷装置の状態に関する情報を取得する。
【００８１】
607はステータスウィンドウであり、情報処理装置の画面上に印刷装置の状態やジョブに関する情報などを表示することができる。
【００８２】
608はハードディスクである。これは記憶装置であり、セキュアジョブはここに格納される。
【００８３】
611はコントローラであり、印刷ジョブの受信や各種処理、メモリに記憶されたジョブの順次印刷、エンジン制御、印刷装置の状態管理、メモリへの読み書きを行う。
【００８４】
612はメモリである。これは記憶装置であり、印刷ジョブはここに格納され、コントローラによって順次印刷されていく。
【００８５】
613はエンジンであり、コントローラより送られてきた印刷ジョブに従い印刷を行う。また印刷装置の状態をコントローラに通知する。
【００８６】
614はパネルであり、ユーザによる入力を受け付け、入力情報をコントローラに伝える。
【００８７】
図７は、本実施形態における印刷指示から印刷装置にジョブが記憶されるまでの処理の流れを示すフローチャートである。
【００８８】
なお、本処理は図８で示す処理、及びメモリに格納された印刷ジョブを印刷する処理と並列的に動作している。
【００８９】
ステップ701より本処理は開始される。アプリケーションより印刷指示が発行されドライバに通知される。
【００９０】
ステップ702では、ドライバがアプリケーションからの印刷指示を元に印刷ジョブを生成する。このとき、ジョブの種別（通常のジョブか、セキュアジョブか）を示す情報を印刷ジョブ内に埋め込む。
【００９１】
ステップ703では、ドライバからプリントスプーラを経由してランゲージモニタが印刷ジョブを受信する。
【００９２】
ステップ704では、ランゲージモニタが受信した印刷ジョブがセキュアジョブか否かを埋め込まれた情報を元に判定する。セキュアジョブでないならステップ705へ、セキュアジョブならステップ708へ移行する。
【００９３】
ステップ705では、ランゲージモニタがポートモニタを経由して印刷ジョブを印刷装置に送信する。
【００９４】
ステップ706では、コントローラが印刷ジョブを受信する。
【００９５】
ステップ707では、コントローラは印刷ジョブをメモリに格納し、本処理を終了する。
【００９６】
ステップ708では、ランゲージモニタはセキュアジョブを解析し解析情報を取得する。これは請求項１のジョブ解析手段に該当する。
【００９７】
ステップ709では、ランゲージモニタはセキュアジョブと前記解析情報を一緒にハードディスクに格納する。これは請求項１のセキュアジョブ記憶手段に該当する。そして本処理を終了する。
【００９８】
図８は、本実施形態におけるセキュアジョブのエラー発生通知に関する処理の流れを示すフローチャートである。
【００９９】
なお、本処理は図７で示した処理、及びメモリに格納された印刷ジョブを印刷する処理と並列的に動作している。
【０１００】
ステップ801より本処理は開始される。情報処理装置のハードディスク内にセキュアジョブがあればステップ802へ、なければステップ811へ移行する。
【０１０１】
ステップ802では、コントローラがエンジンより印刷装置の状態を取得し、その情報をポートモニタ経由でランゲージモニタが入手することで、状態情報を更新する。これは請求項１の印刷装置状態監視手段に該当する。
【０１０２】
ステップ803では、更新前の状態と更新後の状態に変化があったか否かを判定する。変化があればステップ804へ、なければステップ805へ移行する。
【０１０３】
ステップ804では、ハードディスク内に格納された全てのセキュアジョブに対して、解析情報と印刷装置状態との比較を行い、エラーが発生するか否かを判定する。また、エラーが発生する可能性があるか否かについての判定も行う。
【０１０４】
詳細は、前述のステップ404と同様である。
【０１０５】
ステップ805では、ハードディスク内に新規にセキュアジョブが追加されたか否かを判定する。追加されたならステップ806へ、されていないならステップ807へ移行する。
【０１０６】
ステップ806では、新規に追加されたセキュアジョブに対してステップ804と同様の処理を行う。
【０１０７】
ステップ807では、ステップ804またはステップ806の判定結果に従い、ランゲージモニタがステータスウィンドウの表示を更新する。これは請求項１のエラー通知手段、及び請求項３のエラー可能性通知手段に該当する。
【０１０８】
ステップ808では、ユーザがパネルより印刷したいセキュアジョブを指定し正しいパスワードを入力したか否かを判定する。
【０１０９】
ユーザがパネルから入力した情報はコントローラ、ポートモニタを介してランゲージモニタに通知される。
【０１１０】
ランゲージモニタは通知された情報、すなわちセキュアジョブの指定及びそのパスワードを参照し、入力されたパスワードが正しければステップ809へ、正しくなければステップ811へ移行する。
【０１１１】
ステップ809では、セキュアジョブの印刷を開始するため、ランゲージモニタがハードディスクからセキュアジョブを読み出す。
【０１１２】
ステップ810では、ランゲージモニタはポートモニタを介してコントローラに印刷ジョブを送信する。コントローラは受信した印刷ジョブをメモリに格納する。これによりセキュアジョブの印刷が行われることになる。
【０１１３】
ステップ811では、一定時間待機して、ステップ812へ移行する。
【０１１４】
ステップ812では、本監視処理を終了すべきか否かを判定する。本処理は、例えば情報処理装置の電源がOFFになったときなどには終了すべきである。
【０１１５】
終了すべきと判断されれば、本処理は終了する。そうでなければステップ801へ戻る。
【０１１６】
以上により、セキュアジョブを印刷した際にエラーが発生するか否か、さらにエラーが発生する可能性があるか否かを、印刷を行う前に事前にユーザが知る事が可能な印刷システムを実現する事ができる。
【０１１７】
［その他の実施例］
実施例１，２では印刷装置の状態が変化した場合の動作を示している。だが、印刷装置の状態ではなく、セキュアジョブの情報が変化した場合に対しても本発明は適用される。
【０１１８】
具体的には、印刷装置の状態変化だけでなく、セキュアジョブの状態変化も監視し、セキュアジョブの状態変化が行われた際にエラー発生判定手段やエラー発生可能性判定手段を適用すればよい。
【０１１９】
また、エラー発生判定手段およびエラー発生可能性判定手段について、実施例１，２で示した条件はあくまで例であり、それ以外の条件であっても構わない。
【０１２０】
エラーが発生すると判定できる、あるいはエラーが発生する可能性があると推定できるなら、本発明は適用される。
【０１２１】
また、実施例１，２ではセキュアジョブの印刷を開始する際にパネルからパスワードを入力しているが、それ以外の手段で印刷の開始を指示した場合に対しても本発明は適用される。
【０１２２】
例えば、パネルの代わりにUSBホストがあり、パスワード情報が格納されたUSBメモリを挿す事でコントローラがそれを読み取り、セキュアジョブの印刷を開始する、という構成であっても構わない。
【図面の簡単な説明】
【０１２３】
【図１】本発明における印刷システムの外観を示す図である。
【図２】第１実施例の構成を説明するブロック図である。
【図３】第１実施例におけるジョブが記憶装置に格納されるまでの処理を説明するフローチャートである。
【図４】第１実施例におけるセキュアジョブのエラー通知に関する処理を説明するフローチャートである。
【図５】図４の処理を説明する概念図である。
【図６】第２実施例の構成を説明するブロック図である。
【図７】第２実施例におけるジョブが記憶装置に格納されるまでの処理を説明するフローチャートである。
【図８】第２実施例におけるセキュアジョブのエラー通知に関する処理を説明するフローチャートである。
【符号の説明】
【０１２４】
１０１  情報処理装置
１０２  印刷装置
２０１  情報処理装置
２０２  アプリケーション
２０３  ドライバ
２０４  プリントスプーラ
２１０  印刷装置
２１１  コントローラ
２１２  メモリ
２１３  ハードディスク
２１４  エンジン
２１５  パネル
２１６  ディスプレイ
６０１  情報処理装置
６０２  アプリケーション
６０３  ドライバ
６０４  プリントスプーラ
６０５  ランゲージモニタ
６０６  ポートモニタ
６０７  ステータスウィンドウ
６１０  印刷装置
６１１  コントローラ
６１２  メモリ
６１３  エンジン
６１４  パネル
【図１】
2009146292.tif 000003
【図２】
2009146292.tif 000004
【図３】
2009146292.tif 000005
【図４】
2009146292.tif 000006
【図５】
2009146292.tif 000007
【図６】
2009146292.tif 000008
【図７】
2009146292.tif 000009
【図８】
2009146292.tif 000010